(57)【要約】      （修正有）【課題】インタラクティブ性とネット資源を充分に利用できるマルチメディアゲーム機ディスプレイを提供する。【解決手段】マルチメディアゲーム機ディスプレイは、ディスプレイパネルとオーディオ再生モジュールからなり、更に、撮影レンズとマイクロフォンを有し、プレーヤーがプレイ時に、ディスプレイを通じて、ビデオ、オーディオ交流を実施することができる。【選択図】図１
0003120414.tif 000002
【実用新案登録請求の範囲】
【請求項１】
マルチメディアゲーム機ディスプレイであって、ディスプレイパネルとオーディオ再生モジュールからなり、前記マルチメディアゲーム機ディスプレイは、更に、撮影レンズとマイクロフォンを有することを特徴とするマルチメディアゲーム機ディスプレイ。
【請求項２】
前記オーディオ再生モジュールは、前記ディスプレイパネルの下側に設置されることを特徴とする請求項１に記載のマルチメディアゲーム機ディスプレイ。
【請求項３】
前記撮影レンズは、前記ディスプレイパネルの上側に設置されることを特徴とする請求項１に記載のマルチメディアゲーム機ディスプレイ。
【請求項４】
前記撮影レンズは、枢軸装置により、旋転可能な方式で、前記ディスプレイパネルの一側に設置されることを特徴とする請求項１に記載のマルチメディアゲーム機ディスプレイ。
【請求項５】
前記マイクロフォンは、前記ディスプレイパネルの一側に設置されることを特徴とする請求項１に記載のマルチメディアゲーム機ディスプレイ。
【請求項６】
前記撮影レンズと前記マイクロフォンは、オーディオビデオコネクタケーブルと前記ゲームホストにより、信号を伝送することを特徴とする請求項１に記載のマルチメディアゲーム機ディスプレイ。
【請求項７】
前記マルチメディアゲーム機ディスプレイは、更に、前記ゲームホストに安置されたホストフレームを有することを特徴とする請求項１に記載のマルチメディアゲーム機ディスプレイ。
【請求項８】
前記ホストフレームは、枢軸構造により、旋転可能な方式で、前記ディスプレイパネルの一側に連接されることを特徴とする請求項１に記載のマルチメディアゲーム機ディスプレイ。
【考案の詳細な説明】
【技術分野】
【０００１】
本考案は、マルチメディアゲーム機ディスプレイに関するものであって、特に、プレイステーション、Ｘボックス等に適用するマルチメディアゲーム機の携帯型ディスプレイに関するものである。
【背景技術】
【０００２】
生活水準の向上に伴い、電子製品の核心技術も日進月歩している。プレイステーション、Ｘボックス等の各種マルチメディアゲーム機設備が大量に出現し、現代人になくてはならない娯楽品となっている。
【０００３】
マルチメディアゲーム機は、通常、ゲームホストからなり、専用のオーディオビデオコネクタケーブルにより、携帯型ディスプレイと連接して、ディスプレイにより、ゲーム画像を表示し、オーディオ信号を再生する。
【０００４】
マルチメディアゲーム機の技術の発展により、現在のゲームホストは、インタラクティブ性、インターネットブラウザ等の功能を具備しているが、現有の携帯型のマルチメディアゲーム機ディスプレイは、ディスプレイパネルとオーディオ再生モジュールしか有さないので、ゲームホストの各種功能を充分に利用し、発揮しているとは言えず、プレーヤーとゲームホストにとって、一種の資源浪費である。
【０００５】
よって、本考案は、前述の問題に対し、マルチメディアゲーム機ディスプレイを提出し、ゲームホストの各種功能を充分に利用し、発揮できないという欠点を改善する。
【考案の開示】
【考案が解決しようとする課題】
【０００６】
本考案は、マルチメディアゲーム機ディスプレイを提供し、その上に、撮影レンズとマイクロフォンを有し、プレーヤーがプレイ以外に、ビデオ、オーディオ即時交流を実施することができ、インタラクティブ性と充分なネット資源の利用を達成することを目的とする。
【課題を解決するための手段】
【０００７】
上述の目的を達成するため、本考案のマルチメディアゲーム機ディスプレイは、ディスプレイパネルとオーディオ再生モジュールからなり、マルチメディアゲーム機ディスプレイは、更に、撮影レンズとマイクロフォンを有する。
【考案の効果】
【０００８】
本考案のマルチメディアゲーム機ディスプレイは、ゲームホストの各種功能を充分に利用し、発揮できるという利点がある。
【実施例１】
【０００９】
本考案のマルチメディアゲーム機ディスプレイは、図１で示されるように、全体の構造は、公知の携帯型マルチメディアゲーム機ディスプレイとほぼ相同で、ディスプレイパネル１０と、オーディオ再生モジュール２０と、からなり、本実施例のオーディオ再生モジュール２０は、二つのラッパが、ディスプレイパネル１０の下側に平行に設置されている。この他、本実施例のディスプレイパネル１０は、枢軸構造により、旋転可能な方式で、ゲームホストフレーム３０の一端に連接され、ゲームホストフレーム３０は、プレイ時に、ゲームホスト４０を安置するのに用いられる。
【００１０】
本考案のマルチメディアゲーム機ディスプレイと公知の携帯型マルチメディアゲーム機ディスプレイの差異は、更に、撮影レンズ６０とマイクロフォン７０を有することである。本実施例の撮影レンズ６０は、ディスプレイパネル１０上側中部に設置され、動態画像、或いは、静態画像を撮取する。マイクロフォン７０は、ディスプレイパネル１０下側中部で、オーディオ再生モジュール２０の二つのラッパの中間に設置され、プレーヤーの音声信号を入力するのに用いられる。
【００１１】
図２も合わせて参照すると、プレーヤーが本考案のマルチメディアゲーム機ディスプレイを使用して、ゲームホストと連接する時、現有のマルチメディアゲーム機ディスプレイのゲーム画像表示と音声信号の再生の功能を実現するだけでなく、プレーヤーは、レンズ６０により自身や周囲の動態画像、或いは、静態画像を撮影して、オーディオビデオコネクタケーブルにより、ゲームホスト４０に伝送して、ゲームホスト４０が内置するＣＰＵ（図示しない）により処理した後、更に、他のプレーヤーに伝送することができる。プレーヤーは、マイクロフォン７０により、音声信号を入力して、オーディオビデオコネクタケーブルにより、ゲームホスト４０に伝送して、ゲームホスト４０が内置するＣＰＵ（図示しない）により処理した後、更に、他のプレーヤーに伝送して、プレーヤー間で直接連絡することができる。
【００１２】
プレーヤーは、本考案のカメラ６０とマイク７０を具備するマルチメディアゲーム機ディスプレイにより、インタラクティブ性とネット資源を充分に利用でき、更に、ゲーム以外に、ディスプレイにより、オーディオビデオ交流等の功能を実行することができる。
【００１３】
本考案のマルチメディアゲーム機ディスプレイの撮影レンズ６０は、枢軸装置により、旋転可能な方式で、ディスプレイパネルの一端に連接され、レンズ６０の撮影角度を広げることができる。
【００１４】
本考案のマルチメディアゲーム機ディスプレイは、現有のマルチメディアゲーム機ディスプレイの功能を拡張し、プレーヤーに、即時のオーディオビデオのインタラクティブ性を提供して、ゲームの楽しさを倍増する。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００１６】
【図１】本考案のマルチメディアゲーム機の構造図である。
【図２】本考案のマルチメディアゲーム機ディスプレイとホストの組み合わせ作動原理を示す図である。
【符号の説明】
【００１７】
１０…ディスプレイパネル
２０…オーディオ再生モジュール
３０…ゲームホストフレーム
４０…ゲームホスト
６０…撮影レンズ
７０…マイクロフォン
【図１】
0003120414.tif 000003
【図２】
0003120414.tif 000004
【手続補正書】
【提出日】平成18年1月24日(2006.1.24)
【手続補正１】
【補正対象書類名】実用新案登録請求の範囲
【補正対象項目名】全文
【補正方法】変更
【補正の内容】
【実用新案登録請求の範囲】
【請求項１】
マルチメディアゲーム機ディスプレイであって、ディスプレイパネルとオーディオ再生モジュールからなり、前記マルチメディアゲーム機ディスプレイは、更に、撮影レンズとマイクロフォンを有するマルチメディアゲーム機ディスプレイであって、前記オーディオ再生モジュールは前記ディスプレイパネルの下側に設置され、前記撮影レンズは、前記ディスプレイパネルの上側に設置され、前記撮影レンズは、枢軸装置により、旋転可能な方式で、前記ディスプレイパネルの一側に設置され、前記マイクロフォンは、前記ディスプレイパネルの一側に設置される構成としたことを特徴とするマルチメディアゲーム機ディスプレイ。
【請求項２】
前記撮影レンズと前記マイクロフォンは、オーディオビデオコネクタとゲームホストにより、信号を伝送する構成としたことを特徴とする請求項１に記載のマルチメディアゲーム機ディスプレイ。
【請求項３】
前記マルチメディアゲーム機ディスプレイは、前記ゲームホストに安置されたホストフレームを有する構成としたことを特徴とする請求項１に記載のマルチメディアゲーム機ディスプレイ。
【請求項４】
前記ホストフレームは、枢軸構造により、旋転可能な方式で、前記ディスプレイパネルの一側に連接される構成としたことを特徴とする請求項１に記載のマルチメディアゲーム機ディスプレイ。
【手続補正２】
【補正対象書類名】明細書
【補正対象項目名】０００１
【補正方法】変更
【補正の内容】
【０００１】
本考案は、マルチメディアゲーム機ディスプレイに関するものであって、特に、プレイステーション（登録商標）、Ｘボックス等に適用するマルチメディアゲーム機の携帯型ディスプレイに関するものである。
【手続補正３】
【補正対象書類名】明細書
【補正対象項目名】０００２
【補正方法】変更
【補正の内容】
【０００２】
生活水準の向上に伴い、電子製品の核心技術も日進月歩している。プレイステーション（登録商標）、Ｘボックス等の各種マルチメディアゲーム機設備が大量に出現し、現代人になくてはならない娯楽品となっている。